(57)【要約】    【課題】本発明は、構造が簡単で安価であり、分解可能で携帯に便利な組立式のノートパソコン用支持台の提供を目的とする。    【解決手段】本発明に係る組立式ノートパソコン用支持台Ａは、設置面に載置される長軸状の１本の支持軸１０と、該支持軸上に係合端部２１ａ、２１ｂが載置され、自由端部２２ａ、２２ｂが設置面に載置されて傾斜状に配置される平板状の載置台２０ａ、２０ｂとからなり、載置台上に載置したノートパソコンが設置面に対して傾斜するようにしたノートパソコン用支持台であって、前記支持軸には軸方向に係合凹部１１を設け、載置台にはその係合端部側の底面に前記支持軸の係合凹部に嵌合する係合凸部２３ａ、２３ｂを設け、前記支持軸の係合凹部側を上にして支持軸の係合凹部に載置台の係合凸部を嵌合させることにより、載置台を傾斜させて配置することができるようにしたことを特徴とするものである。    【選択図】        図１
2009301262.tif 000002
【特許請求の範囲】
【請求項１】
設置面に載置される長軸状の１本の支持軸と、該支持軸上に係合端部が載置され、自由端部が設置面に載置されて傾斜状に配置される平板状の載置台とからなり、載置台上に載置したノートパソコンが設置面に対して傾斜するようにしたノートパソコン用支持台であって、
前記支持軸には軸方向に係合凹部を設け、載置台にはその係合端部側の底面に前記支持軸の係合凹部に嵌合する係合凸部を設け、前記支持軸の係合凹部側を上にして支持軸の係合凹部に載置台の係合凸部を嵌合させることにより、載置台を傾斜させて配置することができるようにしたことを特徴とする組立式ノートパソコン用支持台。
【請求項２】
載置台における自由端部側の設置面に接する底面に滑り止めを設けたことを特徴とする請求項１に記載の組立式ノートパソコン用支持台。
【請求項３】
支持軸の係合凹部に載置台の係合凸部を嵌合させたときに、前記係合凹部の上縁に接する載置台の係合凸部の近傍に滑り止めを設けたことを特徴とする請求項１又は２に記載の組立式ノートパソコン用支持台。
【請求項４】
載置台の上面に滑り止めを設けたことを特徴とする請求項１〜３のいずれか１項に記載の組立式ノートパソコン用支持台。
【請求項５】
載置台が複数に分離される構成であることを特徴とする請求項１〜４のいずれか１項に記載の組立式ノートパソコン用支持台。
【発明の詳細な説明】
【技術分野】
【０００１】
本発明は、机やテーブル上などの水平面でノートパソコンを使用するときの操作性を向上させるためにノートパソコンを傾斜させて支持するためのノートパソコン用支持台に関し、特に構造が簡単で安価であり、分解可能で携帯に便利な組立式のノートパソコン用支持台に関する。
【背景技術】
【０００２】
ノートパソコンのキーボード面は一般にフラットであるため操作性が悪く、そのため机やテーブル上の水平面にノートパソコンを設置した状態で長時間使用すると、腕が疲れたり肩が凝るなどの問題があった。この問題を解決するために、従来より、机やテーブル上などの水平な設置面に対してノートパソコンが傾斜するように載置できるノートパソコン用支持台が提案されている。例えば特許文献１に示されるように、前下がり状の載置面を有し、この載置面にノートパソコンを載せて使用するようにしたノートパソコン支持台がある。また、特許文献２に示されるように、ノートパソコンを乗せる板状の台部と、その台部の両側面後方に回動自在に設けられた脚部とを備え、その脚部の角度を変えることで、ノートパソコンの傾斜角度が変えられるようにしたノートパソコン支持台がある。
【特許文献１】特開２００２−２１５２７１号公報
【特許文献２】特開２００４−２３７０４７号公報
【発明の開示】
【発明が解決しようとする課題】
【０００３】
しかしながら、上記特許文献１及び２に示されるような従来のノートパソコン支持台の構成では、ノートパソコン自体が占める大きさとほとんど変わらないか、やや小さい程度のものであり、携帯するには嵩張りすぎる大きさである。しかも構造が複雑で分解が可能でないため、コンパクトにすることができない。このようにノートパソコン支持台が携帯に適していないないために、ノートパソコン支持台は、さらに高機能化及び高付加価値化して複雑で高価なものになっており、携帯利便性や低コスト性は無視されているのが現状である。
【０００４】
本発明は、構造が簡単で安価であり、分解可能で携帯に便利な組立式のノートパソコン用支持台の提供を目的とする。
【課題を解決するための手段】
【０００５】
本発明に係る組立式ノートパソコン用支持台は、設置面に載置される長軸状の１本の支持軸と、該支持軸上に係合端部が載置され、自由端部が設置面に載置されて傾斜状に配置される平板状の載置台とからなり、載置台上に載置したノートパソコンが設置面に対して傾斜するようにしたノートパソコン用支持台であって、前記支持軸には軸方向に係合凹部を設け、載置台にはその係合端部側の底面に前記支持軸の係合凹部に嵌合する係合凸部を設け、前記支持軸の係合凹部側を上にして支持軸の係合凹部に載置台の係合凸部を嵌合させることにより、載置台を傾斜させて配置することができるようにしたことを特徴とするものである。
【０００６】
このように構成したことにより、支持軸の係合凹部に載置台の係合凸部を嵌合させるだけで簡単に組み立てられ、支持軸の係合凹部から載置台の係合凸部を抜き出せば簡単に分解できる。
【０００７】
また、前記の構成に加え、載置台における自由端部側の設置面に接する底面に滑り止めを設けた構成としてもよい。このように構成すれば、傾斜したノートパソコンに対してキー操作を行うことによる力が加わっても、載置台が前後方向に移動しないために、ノートパソコンが前後方向に容易に移動してしまうことがなく、安定して使用できる。
【０００８】
さらに、前記の構成に加え、支持軸の係合凹部に載置台の係合凸部を嵌合させたときに、前記係合凹部の上縁に接する載置台の係合凸部の近傍に滑り止めを設けた構成としてもよい。このように構成すれば、支持軸に対して載置台が軸方向に容易に移動してしまうことがなく、安定して使用できる。
【０００９】
さらにまた、前記の構成に加え、載置台の上面に滑り止めを設けた構成としてもよい。このように構成すれば、ノートパソコンの底面と載置台との接触箇所が小面積であったとしても、ノートパソコンが載置台から滑り落ちることがなく安定するので、キー操作が快適である。
【００１０】
また、前記の構成に加え、載置台が複数に分離される構成としてもよい。このように構成すれば、パソコン用支持台が細分化されて、さらにコンパクトになる。
【発明の効果】
【００１１】
本発明に係る組立式ノートパソコン用支持台は、上記のように構成したため、構造が簡単で安価であり、組立式であって分解可能あり、携帯に便利な利点がある。
【発明を実施するための最良の形態】
【００１２】
以下に、本発明に係る組立式ノートパソコン用支持台の実施例を添付の図に基づいて詳述する。
【００１３】
図１は本実施例に係る組立式ノートパソコン用支持台の斜視図であり、図２は本実施例に係る組立式ノートパソコン用支持台の背面側から見た分解斜視図であり、図３は本実施例に係る組立式ノートパソコン用支持台の使用状態を示す斜視図であり、図４は本実施例に係る組立式ノートパソコン用支持台を分解してコンパクトにした状態を示す斜視図である。
【００１４】
図１〜図３において、Ａは組立式ノートパソコン用支持台を示し、１０は机やテーブル等の水平な設置面に載置される長軸状の支持軸であり、２０ａ、２０ｂは前記支持軸１０上に載置される２枚一組の平板状の載置台である。該載置台２０ａ、２０ｂはその係合端部２１ａ、２１ｂが支持軸１０上に載置され、その自由端部２２ａ、２２ｂが設置面に載置されることによって、載置台２０ａ、２０ｂは設置面に対して傾斜状態となり、その結果、図３に示されるように、該載置台２０ａ、２０ｂ上にノートパソコンＢが設置面に対して傾斜する状態で載置される。各載置台２０ａ、２０ｂの配置間隔は、ノートパソコンのサイズに合わせて広狭自由に調節することができる。なお、この傾斜角は、ノートパソコンの使用者の対角や設置面の高さによって個々に異なるが、５度前後の角度に設計しておくのが汎用性があってが好ましい。また、ノートパソコンＢが載置台２０ａ、２０ｂ上に載置され、ノートパソコンＢの下方に空間ができるため、ノートパソコンＢの底部に発生する熱が放熱拡散されるので、ノートパソコンＢの底部が過熱状態になるのを防ぐ利点がある。
【００１５】
前記支持軸１０は、断面円形の丸棒であって、図１に示すように、その上面には、いわゆるほぞ溝と呼ばれる係合凹部１１が軸方向に設けられており、該係合凹部１１に対応して嵌合する、いわゆるほぞ呼ばれる係合凸部２３ａ、２３ｂが載置台２０ａ、２０ｂの係合端部２１ａ、２１ｂ側の底面に設けられていて、支持軸１０の係合凹部１１側を上にして支持軸１０の係合凹部１１に載置台２０ａ、２０ｂの係合凸部２３ａ、２３ｂを嵌合させることにより、載置台２０ａ、２０ｂを傾斜させて配置することができる。したがって、本実施例における組立式ノートパソコン用支持台は、支持軸１０の係合凹部１１に載置台２０ａ、２０ｂの係合凸部２３ａ、２３ｂを嵌合させるだけで簡単に組み立てられ、支持軸１０の係合凹部１１から載置台２０ａ、２０ｂの係合凸部２３ａ、２３ｂを抜き出せば簡単に分解できる。なお、上記支持軸１０及び載置台２０ａ、２０ｂは、木製であっても合成樹脂製であってもよく、また軽量の金属製であってもよい。また、支持軸１０は丸棒に限定されるものではなく、断面四角形や三角形などの多角形にして設置面と面接触するようにしたり、断面を非真円の曲線とすることも可能であり、また、本実施例の丸棒や断面非真円の曲線においてはその底面を平面に変形して設置面と面接触するように変形してもよい。このようにすれば、支持軸が設置面に対してスライドしないので、安定してノートパソコンを使用することができる。
【００１６】
また、載置台２０ａ、２０ｂにおける自由端部２２ａ、２２ｂ側の設置面に接する底面に滑り止め２４ａ、２４ｂを設けているので、載置台２０ａ、２０ｂが設置面に対して前後方向に移動しない。したがって、載置台２０ａ、２０ｂ上に傾斜して載置されたノートパソコンＢは、それにに対してキー操作を行うことによる力が加わっても、載置台２０ａ、２０ｂが設置面に対して前後方向に移動しないために、ノートパソコンＢが前後方向に容易に移動してしまうことがなく、安定して使用できる。なお、載置台２０ａ、２０ｂにおける自由端部２２ａ、２２ｂを平面に変形して設置面と面接触するようにしてもよい。このようにすれば、載置台が設置面に対してさらにスライドしなくなるので、安定してノートパソコンを使用することができる。
【００１７】
さらに、支持軸１０の係合凹部１１に載置台２０ａ、２０ｂの係合凸部２３ａ、２３ｂを嵌合させたときに、係合凹部１１の上縁に接する載置台２０ａ、２０ｂの係合凸部２３ａ、２３ｂの近傍箇所に滑り止め２５ａ、２５ｂを設けているので、支持軸１０に対して載置台２０ａ、２０ｂが支持軸１０の軸方向に容易に移動してしまうことがなく、安定して使用できる。
【００１８】
なお、上記の滑り止め２４ａ、２４ｂ及び滑り止め２５ａ、２５ｂとしては、例えば、粘着性ゴム（シリコーンゴム等の合成ゴム）からなるシート材や弾性体からなるシート材を使用し、これを上記した所要箇所に貼り付ける。
【００１９】
本実施例においては、載置台２０ａ、２０ｂを幅方向に２分した２枚一組の平板にて構成したので、図４に示すように、不使用時には、載置台２０ａ、２０ｂを重ね合わせるとコンパクトとなり、携帯に便利である。なお、さらに載置台細分化すれば、より一層コンパクトになるが、細分化しすぎると組立が面倒になる。また、支持軸１０も軸方向に２分化し、使用時には連結するようにすればさらにコンパクトになる。
【００２０】
なお、載置台２０ａ、２０ｂの上面に滑り止めを設けると、ノートパソコンの底面と載置台との接触箇所が小面積であったとしても、ノートパソコンが載置台から滑り落ちることがなく安定するので、キー操作が快適である。
【００２１】
以上詳述しましたように、本実施例に係る組立式ノートパソコン用支持台Ａは、構造が簡単で安価であり、組立式であって分解可能あり、携帯に極めて便利である。
【図面の簡単な説明】
【００２２】
【図１】本実施例に係る組立式ノートパソコン用支持台の斜視図である。
【図２】本実施例に係る組立式ノートパソコン用支持台の背面側から見た分解斜視図である。
【図３】本実施例に係る組立式ノートパソコン用支持台の使用状態を示す斜視図である。
【図４】本実施例に係る組立式ノートパソコン用支持台を分解してコンパクトにした状態を示す斜視図である。
【符号の説明】
【００２３】
Ａ・・・・組立式ノートパソコン用支持台
Ｂ・・・・ノートパソコン
１０・・・支持軸
１１・・・支持軸の係合凹部
２０ａ・・載置台
２０ｂ・・載置台
２１ａ・・係合端部
２１ｂ・・係合端部
２２ａ・・自由端部
２２ｂ・・自由端部
２３ａ・・係合凸部
２３ｂ・・係合凸部
２４ａ・・設置面に対する滑り止め
２４ｂ・・設置面に対する滑り止め
２５ａ・・支持軸に対する滑り止め
２５ｂ・・支持軸に対する滑り止め
【図１】
2009301262.tif 000003
【図２】
2009301262.tif 000004
【図３】
2009301262.tif 000005
【図４】
2009301262.tif 000006